(57)【要約】【課題】シート面に開口されてリクライング・デバイスのアームをそのシート面に露出させながら移動を許す細長い開口を塞ぐところの覆いに柔軟性および復元性を与えてその覆いにめくれよれを回避でき、そして、見映えを向上できてその見映えを長期間確保する。【解決手段】細帯状覆い３３が、帯状生地の幅を二つに折られて形成され、伸縮可能な細帯状芯材３４が、その細帯状覆い３３にはさみ込まれ、そして、その覆い３３および芯材３４の組合せが、シート面１５、１６、１７、１８の所定の箇所においてリクライニング・デバイスの４４、４５、４６、４７、４８のアーム４９を露出するトリム・カバー１９、２１、２２、２３の細長い開口２４、２５、２６、２８、２９、３０、３１、３２の両側縁３６、３７、３８、３９、４０、４１、４２、４３のそれぞれに共縫いされてその覆い３３の二つ折り先端を互いに突き合わせる。【選択図】図２
2005212591.tif 000002
【特許請求の範囲】
【請求項１】
細帯状覆いが、帯状生地の幅を二つに折られて形成され、伸縮可能な細帯状芯材が、その細帯状覆いにはさみ込まれ、そして、その覆いおよび芯材の組合せが、シート面の所定の箇所においてリクライニング・デバイスのアームを露出するトリム・カバーの細長い開口の両側縁のそれぞれに共縫いされてその覆いの二つ折り先端を互いに突き合わせるところのリクライニング・シート。 
【請求項２】
その細帯状芯材が、その細帯状覆いの長さよりも適宜に短く設定され、そして、常にテンションがかかるようにその細帯状覆いにはさみ込まれてそのトリム・カバーのその細長い開口の側縁に共縫いされる請求項１に記載のリクライニング・シート。 
【請求項３】
その細帯状芯材が、細長い平ゴムを用いる請求項１あるいは２に記載のリクライニング・シート。
【発明の詳細な説明】
【技術分野】
【０００１】
この発明は、自動車に用いるリクライニング・シートに関する。
【背景技術】
【０００２】
通常、ワゴンやバンなどに装備されるベンチ・タイプ・リクライニング・シートでは、細長い開口がシート・クッションおよびシート・バックのシート面のそれぞれの左右に継ぎ合わせ可能に向かい合って開口され、そして、そのシート面、すなわち、着座面、背もたれ面にリクライニング・デバイスのアームを露出可能にするので、そのシート・クッションおよびシート・バックのそれぞれにおいて一対の細帯状ブラインドがトリム・カバーの細長い開口の両側縁に共縫いされてその細長い開口を塞ぎ、そして、見映えの向上を図った。そして、そのブラインドには、ウェピングが用いられたり、また、樹脂芯材をはさみ込む二つ折り表皮材が用いられる。 
【０００３】
ところが、そのリクライニング・アームは、その細長い開口の全域にわたって移動されるので、そのブラインドはそのアームでめくれ、そして、剛性はあるが復元性が弱いので、一度癖が付くと、復元されずにめくれよれになって見映えが悪くなる。
【特許文献１】特開平１０−６７２６５号公報
【発明の開示】
【発明が解決しようとする課題】
【０００４】
この発明の課題は、シート面に開口されてリクライング・デバイスのアームをそのシート面に露出されながら移動を許す細長い開口を塞ぐところの覆いに柔軟性および復元性を与えてその覆いにめくれよれを回避でき、そして、見映えを向上できてその見映えを長期間確保するところのリクライニング・シートの提供にある。 
【課題を解決するための手段】
【０００５】
この発明のリクライニング・シートは、細帯状覆いが、帯状生地の幅を二つに折られて形成され、伸縮可能な細帯状芯材が、その細帯状覆いにはさみ込まれ、そして、その覆いおよび芯材の組合せが、シート面の所定の箇所においてリクライニング・デバイスのアームを露出するトリム・カバーの細長い開口の両側縁のそれぞれに共縫いされてその覆いの二つ折り先端を互いに突き合わせる。 
【発明の効果】
【０００６】
この発明では、そのトリム・カバーのその細長い開口の両側縁のそれぞれに共縫いされてその細長い開口を塞ぐところの細帯状覆いがその伸縮可能な細帯状芯材によって柔軟性および復元性を付与されてその覆いのめくれよれが回避され、そして、見映えが向上されてその見映えが長期間確保される。 
【発明を実施するための最良の形態】
【０００７】
その細帯状覆いがそのトリム・カバーと同じ表皮材を用い、その伸縮可能な細帯状芯材がその細帯状覆いの長さよりも適宜に短く設定される細長い平ゴムを用い、そして、その覆いおよび平ゴムが常にその平ゴムにテンションをかけるようにそのトリム・カバーのその細長い開口のその側縁に共縫いされる。 
【実施例１】
【０００８】
以下、特定されて図示された具体例に基づいて、この発明のリクライニング・シートを説明するに、図１ないし図３は、ワゴンのセカンド・シートに具体化されたところのこの発明のリクライニング・シートの具体例１０を示す。このリクライニング・シート１０は、ベンチ・タイプ・シート・クッション１１と、左右のリクライング・デバイス４４、４５、４６、４７でそのシート・クッション１１に前倒しおよび角度調整可能に連結されて支持される左右のシート・バック１２、１３と、その左右のシート・バック１２、１３の間でリクライング・デバイス４８でそのシート・クッション１１に前倒しおよび角度調整可能に連結されて支持されるセンター・バック１４と、その左右のシート・バック１２、１３に取り付けられる左右のヘッド・レストレイント（図示せず）から組み立てられ、そして、そのリクライング・デバイス４４、４５、４６、４７、４８に対応して細長い開口２４、２５、２６、２８、２９、３０、３１、３２をシート面１５、１６、１７、１８に開口する。 
【０００９】
具体的には、その細長い開口２４、２５は、そのシート・クッション１１の着座面１５の後方部分においてセンターの両側でそのセンター寄りに開口され、その細長い開口２６は、そのシート・クッション１１のその着座面１５の後方部分においてそのセンターに開口され、その細長い開口２８、２９、３０、３１は、その左右のシート・バック１２、１３の背もたれ面１６、１７の下方部分において両側に開口され、そして、その細長い開口３２は、そのセンター・バック１４の背もたれ面１８の下方部分においてセンターに開口される。特に、その細長い開口２９、３１、３２は、そのシート・クッション１１のその細長い開口２４、２５、２６に継ぎ合わせ可能に互いに向かい合ってその左右のシート・バック１２、１３およびセンター・バック１４のその背もたれ面１６、１７、１８に開口され、そして継ぎ合わせられる開口全域にわたってそのリクライング・デバイス４５、４６、４８のアーム４９、４９、４９を移動可能にする。 
【００１０】
その細長い開口２４、２５、２６、は、そのシート・クッション１１のトリム・カバー１９に開口され、して、細長い開口（図示せず）が、その細長い開口２４、２５、２６に対応してそのシート・クッション１１のパッド（図示せず）に開口されている。一方、その細長い開口２８、２９、３０、３１、３２は、そのシート・バック１２、１３およびセンター・バック１４のトリム・カバー２１、２２、２３、に開口され、そして、細長い開口２７、２７、２７、２７、２７が、その細長い開口２８、２９、３０、３１、３２に対応してその左のシート・バック１２のパッド２０、その右のシート・バック１３のパッド（図示せず）、およびそのセンター・バック１４のパッド（図示せず）にそれぞれ開口されている。 
【００１１】
このリクライニング・シート１０では、細帯状覆い３３が、そのトリム・カバー１９、２１、２２、２３と同じ表皮材から細長く切断された帯状生地の幅を二つに折って形成され、伸縮可能な細帯状芯材３４が、細長い平ゴムを用い、そして、その細帯状覆い３３にはさみ込まれ、そして、その覆い３３および芯材３４の組合せが、その着座面１５および背もたれ面１６、１７および１８の所定の箇所においてそのリクライング・デバイス４４、４５、４６、４７、４８のそのアーム４９を露出するそのトリム・カバー１９、２１、２２、２３のその細長い開口２４、２５、２６および２８、２９、３０、３１、３２の両側縁３６、３７、３８、３９、４０、４１、４２、４３のそれぞれに共縫いされてその覆い３３、３３の二つ折り先端を互いに突き合わせ、そして、その細長い開口２４、２５、２６、および２８、２９、３０、３１、３２において一対のブラインド３５、３５として機能している。 
【００１２】
その細帯状芯材３４に用いられるその細長い平ゴム３４は、その細帯状覆い３３の長さよりも適宜に短く設定されてその細帯状覆い３３にはさみ込まれ、そして、その覆い３３および平ゴム３４が、常にその平ゴム３４にテンションをかけるようにその平ゴム３４の伸び状態でそのトリム・カバー１９、２１、２２、２３のその細長い開口２４、２５、２６、および２８、２９、３０、３１、３２の縁側３６、３７、３８、３９、４０、４１、４２、４３に共縫され、そして、そのテンションに基づく復元力をその平ゴム３４に発生させて常にその細長い開口２４、２５、２６、および２８、２９、３０、３１、３２を閉じる方向においてその覆い３３、３３にその復元力を作用させる。 
【００１３】
したがって、その覆い３３、３３には、柔軟性および復元性がその平ゴム３４によって与えられ、そして、そのリクライング・デバイス４４、４５、４６、４７、４８のそのアーム４９がその細長い開口２４、２５、２６、および２８、２９、３０、３１、３２に移動されてもその覆い３３、３３は、その平ゴム３４、３４によってそれの先端突き合わせ状態に円滑に戻って復元され、その覆い３３、３３の永久変形、すなわち、その覆い３３、３３にめくれよれが回避され、そして、見映えが向上され、しかも、その見映えが長期間確保される。 
【００１４】
先に図面を参照して説明されたところのこの発明の特定された具体例から明らかであるように、この発明の属する技術分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。
【産業上の利用可能性】
【００１５】
上述から理解されるように、この発明のリクライニング・シートは、細帯状覆いが、帯状生地の幅を二つに折られて形成され、伸縮可能な細帯状芯材が、その細帯状覆いにはさみ込まれ、そして、その覆いおよび芯材の組合せが、シート面の所定の箇所においてリクライニング・デバイスのアームを露出するトリム・カバーの細長い開口の両側縁のそれぞれに共縫いされてその覆いの二つ折り先端を互いに突き合わせるので、この発明のリクライニング・シートでは、その細帯状覆いが、その伸縮可能な細帯状芯材によって柔軟性および復元性を与えられ、そして、そのリクライング・デバイスのそのアームがそのシート面に露出されてその細長い開口内に移動されてもその細帯状覆いのめくれよれが回避され、そして、見映えが向上されてその見映えが長期間確保され、その結果、自動車、特に、ワゴンやバンなどにとって非常に有用で実用的である。 
【図面の簡単な説明】
【００１６】
【図１】ワゴンのセカンド・シートに具体化されたところのこの発明のリクライニング・シートの具体例を示した斜視図である。
【図２】図１の２−２線に沿って示した断面図である。
【図３】リクライング・デバイスのアームに関係して図１の２−２線に沿って示した断面図である。
【符号の説明】
【００１７】
１１  ベンチ・タイプ・シート・クッション 
１２  左のシート・バック 
１３  右のシート・バック 
１４  センター・バック 
１５  シート面／着座面 
１６  シート面／背もたれ面 
１７  シート面／背もたれ面 
１８  シート面／背もたれ面 
１９  トリム・カバー 
２０  パッド 
２１  トリム・カバー 
２２  トリム・カバー 
２３  トリム・カバー 
２４  細長い開口 
２５  細長い開口 
２６  細長い開口 
２７  細長い開口 
２８  細長い開口 
２９  細長い開口 
３０  細長い開口 
３１  細長い開口 
３２  細長い開口 
３３  細帯状覆い 
３４  伸縮可能な細帯状芯材／細長い平ゴム 
３５  ブラインド 
３６  側縁 
３７  側縁 
３８  側縁 
３９  側縁 
４０  側縁 
４１  側縁 
４２  側縁 
４３  側縁 
４４  リクライング・デバイス 
４５  リクライング・デバイス 
４６  リクライング・デバイス 
４７  リクライング・デバイス 
４８  リクライング・デバイス 
４９  アーム 
【図１】
2005212591.tif 000003
【図２】
2005212591.tif 000004
【図３】
2005212591.tif 000005